(57)【要約】      （修正有）【解決手段】相対する高さの低い土手部１ａと相対する高さの高い土手部を有する底部１と、高さの低い土手部１ａにヒンジ連結された、先に倒される相対する一方の側壁２と、高さの高い土手部にヒンジ連結された、後から倒されるもう一方の相対する側壁とを有する折り畳みコンテナーにおいて、高さの低い土手部１ａと高さの高い土手部とにより形成される隅部には、補強ブロックが形成されており、補強ブロックに形成された嵌合凹部ｈ４に、先に倒される相対する側壁に形成された補強ブロック用嵌合凹部に形成された嵌合凸部ｈ１１を、嵌合するように構成した。【効果】底部の高さの高い土手部が、外側へ傾倒したり、変形したり、或いは、座屈したすようなことを防止することができる。【選択図】図７
2014080216.tif 000002
【特許請求の範囲】
【請求項１】
相対する高さの低い土手部と相対する高さの高い土手部を有する底部と、高さの低い土手部にヒンジ連結された、先に倒される相対する一方の側壁と、高さの高い土手部にヒンジ連結された、後から倒されるもう一方の相対する側壁とを有する折り畳みコンテナーにおいて、高さの低い土手部と高さの高い土手部とにより形成される隅部には、補強ブロックが形成されており、補強ブロックに形成された嵌合凹部には、先に倒される相対する側壁に形成された補強ブロック用嵌合凹部に形成された嵌合凸部が、嵌合するように構成されていることを特徴とする折り畳みコンテナー。
【発明の詳細な説明】
【技術分野】
【０００１】
本発明は、底部を囲むように配設された側壁が、底部に重なるように折り畳むことができる折り畳みコンテナーに関するものである。
【背景技術】
【０００２】
従来，平面形状が略長方形の底部が、その相対する長辺側に形成された高さの低い土手部１と、相対する短辺側に形成された高さの高い土手部とを有するとともに、高さの低い土手部に、長側壁がヒンジ連結され、また、高さの高い土手部に、短側壁がヒンジ連結された折り畳みコンテナーが知られている。
【０００３】
底部の高さの高い土手部の両端部からは、高さの低い土手部方向に延在する角部補強ブロックが形成されており、この角部補強ブロックと高さの低い土手部との隅部に、補強連結部材が形成されている折り畳みコンテナーが知られている。このような、補強連結部材を形成することにより、高さの高い土手部が、外側に傾倒したり変形することを防止しするとともに、折り畳みコンテナーが段積みされた際に、下に位置する折り畳みコンテナーの底部１の高さの高い土手部１ａが座屈を起こし損傷するようなことを防止することができる。
【０００４】
上述したような構成を有する折り畳みコンテナーは、特許文献１に開示されている。
【先行技術文献】
【特許文献】
【０００５】
【特許文献１】特開２００３−２３７７７８号公報
【発明の開示】
【発明が解決しようとする課題】
【０００６】
近年、折り畳みコンテナーの大型化や折り畳みコンテナーに収容される物品の重量化に伴い、折り畳みコンテナーの高さの高い土手部にヒンジ連結された短側壁に、折り畳みコンテナーの内側から外側方向に、大きな負荷が加わった際には、角部補強ブロックと高さの低い土手部との隅部に形成された補強連結部材だけでは、高さの高い土手部の外側への傾倒や変形、或いは、折り畳みコンテナーが段積みされた際の座屈等を防止することができないという問題があった。
【０００７】
特に、折り畳みコンテナーの大型化に伴い、長側壁や短側壁の高さを高くした場合には、箱型に組み立てられた状態から、先に、底部方向に倒される長側壁の先端部同士が、互いに重なるために、後から倒される短側壁がヒンジ連結された高さの高い土手部の高さを、より高くしなければならない。高さの高い土手部の高さを、より高くすると、当然のことながら、高さの高い土手部の外側への傾倒や変形、或いは、折り畳みコンテナーが段積みされた際の座屈等を起こしやすいという問題があった。
【０００８】
本発明の目的は、上述した従来の折り畳みコンテナーが有する課題を解決することにある。
【課題を解決するための手段】
【０００９】
本発明は、上述した目的を達成するために、相対する高さの低い土手部と相対する高さの高い土手部を有する底部と、高さの低い土手部にヒンジ連結された、先に倒される相対する一方の側壁と、高さの高い土手部にヒンジ連結された、後から倒されるもう一方の相対する側壁とを有する折り畳みコンテナーにおいて、高さの低い土手部と高さの高い土手部とにより形成される隅部には、補強ブロックが形成されており、補強ブロックに形成された嵌合凹部に、先に倒される相対する側壁に形成された補強ブロック用嵌合凹部に形成された嵌合凸部を、嵌合するように構成したものである。
【発明の効果】
【００１０】
相対する高さの低い土手部と相対する高さの高い土手部を有する底部と、高さの低い土手部にヒンジ連結された、先に倒される相対する一方の側壁と、高さの高い土手部にヒンジ連結された、後から倒されるもう一方の相対する側壁とを有する折り畳みコンテナーにおいて、高さの低い土手部と高さの高い土手部とにより形成される隅部には、補強ブロックが形成されており、補強ブロックに形成された嵌合凹部に、先に倒される相対する側壁に形成された補強ブロック用嵌合凹部に形成された嵌合凸部を、嵌合するように構成したので、底部の高さの高い土手部が、外側へ傾倒したり、変形したり、或いは、座屈したすようなことを防止することができる。
【図面の簡単な説明】
【００１１】
【図１】図１は、本発明の折り畳みコンテナーが、箱型に組み立てられた状態の斜視図である。
【図２】図２は、本発明の折り畳みコンテナーの長側壁が、折り畳まれた状態の斜視図である。
【図３】図３は、本発明の折り畳みコンテナーが、折り畳まれた状態の斜視図である。
【図４】図４は、本発明の折り畳みコンテナーの底部の部分拡大斜視図である。
【図５】図５は、本発明の折り畳みコンテナーの長側壁の部分拡大斜視図である。
【図６】図６は、本発明の折り畳みコンテナーの底部と長側壁の部分拡大分解斜視図である。
【図７】図７は、本発明の折り畳みコンテナーが、箱型に組み立てられた状態の部分拡大斜視図である。
【図８】図８は、本発明の折り畳みコンテナーの別の実施例の底部の部分拡大斜視図である。
【図９】図９は、本発明の折り畳みコンテナーの別の実施例の長側壁の部分拡大斜視図である。
【実施例】
【００１２】
以下に、本発明の実施例について説明するが、本発明の趣旨を越えない限り何ら、本実施例に限定されるものではない。
【００１３】
先ず最初に、上述した従来の折り畳みコンテナーと実質的に同様である、本発明の折り畳みコンテナーの概要について概説する。
【００１４】
本発明においても、折り畳みコンテナーを構成する底部１は、平面形状が略長方形に形成されており、底部１の一方の相対する長辺側に形成された高さの低い土手部（以下、単に、低部土手部と称する。）１ａと、もう一方の相対する短辺側に形成された高さの高い土手部（以下、単に、高部土手部と称する。）１ｂとが形成されており、低部土手部１ａには、長側壁２がヒンジ連結され、また、高部土手１部ｂには、短側壁３がヒンジ連結されている。そして、図１に示されているように、折り畳みコンテナーが箱型に組み立てられた状態から、折り畳む際には、先ず最初に、図２に示されているように、長側壁２を底部１に重なるように倒し、次いで、図３に示されているように、短側壁３を、先に倒された長側壁２に重なるように倒すことにより、箱型に組み立てられたを、折り畳むことができるように構成されている。
【００１５】
図４に示されているように、低部土手部１ａの上面１ａ１と高部土手部１ｂの上面１ｂ１とにより形成される隅部には、補強ブロックＨ１が形成されており、補強ブロックＨ１の肉厚（低部土手部１ａの長手方向に対して垂直方向の幅）と低部土手部１ａの肉厚（低部土手部１ａの長手方向に対して垂直方向の幅）とは、略同じ肉厚になるように構成されている。
【００１６】
補強ブロックＨ１は、低部土手部１ａの上面１ａ１に対して略垂直な側部ｈ１と、高部土手部１ｂの上面１ｂ１より下方に位置する天部ｈ２とを有している。また、補強ブロックＨ１の側部ｈ１と天部ｈ２との間に形成される隅部には、側部ｈ１と天部ｈ２を互いに直角とならないように、湾曲面ｈ３が形成されている。このような湾曲面ｈ３を形成することにより、低部土手部１ａ、隅部補強ブロックＨ及び高部土手部１ｂの強度や剛性を高めることができる。
【００１７】
また、補強ブロックＨ１の天部ｈ２には、上方及び底部１の底板１ｃ側が開放された嵌合凹部ｈ４が形成されている。嵌合凹部ｈ４は、側部ｈ１に平行な相対する側壁部ｈ４ａと、相対する側壁部ｈ４ａの底板１ｃと反対側の端部を連結する奥壁部ｈ４ｂとにより形成されている。なお、Ｃ１は、低部土手部１ａ及び高部土手部１ｂに配設された雌ヒンジ部材であり、このような雌ヒンジ部材Ｃ１は、本願出願前、周知であるので、その説明は省略する。
【００１８】
次に、図５〜図７を用いて、底部１の低部土手部１ａに配設された雌ヒンジ部材Ｃ１に対応して、雄ヒンジ部材Ｃ２が配設された長側壁２について説明するが、雄ヒンジ部材Ｃ２も、本願出願前、周知であるので、その説明は省略する。
【００１９】
周知のように、長側壁２には、雄ヒンジ部材Ｃ２が垂設された下端水平フランジ２ａが形成されており、また、長側壁２には、下端水平フランジ２ａに垂直な垂直端部フランジ２ｂが形成されている。
【００２０】
長側壁２の下端水平フランジ２ａと垂直端部フランジ２ｂとにより形成される下部角部には、折り畳みコンテナーが箱型に組み立てられた際に、上述した補強ブロックＨ１が嵌合される補強ブロック用嵌合凹部Ｈ２が形成されている。
【００２１】
補強ブロック用嵌合凹部Ｈ２を形成する天部ｈ１０には、上述した補強ブロックＨ１に形成された嵌合凹部ｈ４に嵌合される角柱状の嵌合凸部ｈ１１が垂設されている。嵌合凸部ｈ１１は、長側壁２の板状部２ｃの内面（折り畳みコンテナーが箱型に組み立てられた際に、折り畳みコンテナーの内側に位置する面）２ｃ１と面一な内側垂直面ｈ１１ａと、下端水平フランジ２ａの先端及び垂直端部フランジ２ｂの先端まで達しない外側垂直面ｈ１１ｂとを有している。
【００２２】
上述したような構成を有する折り畳みコンテナーを、折り畳まれた状態から、箱型に組み立てる際には、先ず最初に、短側壁３を略垂直に立て、次いで、長側壁２を略垂直に立てることになる。この長側壁２を略垂直に立てる過程においては、底部１に配設された補強ブロックＨ１の天部ｈ２に形成された嵌合凹部ｈ４に、長側壁２の下部角部に形成された補強ブロック用嵌合凹部Ｈ２の天部ｈ１０に垂設された嵌合凸部ｈ１１が、図７に示されているように、嵌合されるように構成されている。
【００２３】
上述したように、折り畳みコンテナーが箱型に組み立てられた際には、底部１に配設された補強ブロックＨ１に形成された嵌合凹部ｈ４に、長側壁２の下部角部に形成された補強ブロック用嵌合凹部Ｈ２に形成された嵌合凸部ｈ１１が、嵌合されるように構成されているので、折り畳みコンテナーの高部土手部１ｂにヒンジ連結された短側壁３に、折り畳みコンテナーの内側から外側方向に、大きな負荷が加わり、短側壁３が外側に変形した際には、長側壁２に配設された補強ブロック用嵌合凹部Ｈ２の天部ｈ１０に垂設された嵌合凸部ｈ１１が、底部１に配設された補強ブロックＨ１の天部ｈ２に形成された嵌合凹部ｈ４を構成する側壁部ｈ４ａに当接するように構成されているので、底部１の高部土手部１ｂが、外側へ傾倒したり、変形したり、或いは、座屈したすようなことを防止することができる。
【００２４】
次に、図８及び図９を用いて、本発明の別の実施例について説明する。
【００２５】
この実施例においては、上述した実施例における、底部１に配設された補強ブロックＨ１に形成された嵌合凹部ｈ４の奥壁部ｈ４ｂを削除し、嵌合凹部ｈ４’を、補強ブロックＨ１の幅（低部土手部１ａの長手方向に垂直な方向の幅）Ｗ１の全幅に亘たって形成したものである。
【００２６】
上述したように、嵌合凹部ｈ４’を、補強ブロックＨ１の幅（低部土手部１ａの長手方向に垂直な方向の幅）Ｗ１の全幅に亘たって形成したことにより、上述した実施例の嵌合凸部ｈ１１に対応する嵌合凸部ｈ１１’も、長側壁２の垂直端部フランジ２ｂの幅（垂直端部フランジ２ｂの長手方向に垂直な方向の幅）Ｗ２と同じ幅に形成されている。
【００２７】
上述したように構成することにより、底部１の高部土手部１ｂが、外側へ傾倒したり、変形したり、或いは、座屈したすようなことを、より確実に防止することができる。
【符号の説明】
【００２８】
１・・・・・・・・・・・・底部
１ａ・・・・・・・・・・・低部土手部
１ｂ・・・・・・・・・・・高部土手部
２・・・・・・・・・・・・長側壁
３・・・・・・・・・・・・短側壁
Ｈ１・・・・・・・・・・・補強ブロック
Ｈ２・・・・・・・・・・・補強ブロック用嵌合凹部
ｈ４、ｈ４’・・・・・・・嵌合凹部
ｈ１１、ｈ１１’・・・・・嵌合凸部
【図１】
2014080216.tif 000003
【図２】
2014080216.tif 000004
【図３】
2014080216.tif 000005
【図４】
2014080216.tif 000006
【図５】
2014080216.tif 000007
【図６】
2014080216.tif 000008
【図７】
2014080216.tif 000009
【図８】
2014080216.tif 000010
【図９】
2014080216.tif 000011